(57)【要約】【課題】監査券が監査用集積装置に確実に集積されたことを確認することによって、ジャム発生時に監査券を持ち帰らないようにすることが可能な紙葉類処理装置を提供する。【解決手段】紙葉類Ｐが搬送されると、計数用ＣＰＵ２２は、通過センサの情報から、紙葉類１枚ごとにインデックスを付与する。監査用ＣＰＵ２１は、下面検査装置４ａ及び上面検査装置４ｂの検査結果に基づく印刷品質検査を行い、その結果を計数用ＣＰＵに通知すると共に、上記インデックスと対応させて内部に設けられた記憶部に保存する。また、監査用ＣＰＵは、検査中の紙葉類Ｐの中から監査券Ｐｋを抽出し、その検査結果を計数用ＣＰＵに送ると共に同時に、その検査結果を監査ＣＰＵ内に保存する。計数用ＣＰＵは、監査券が集積前通過センサＳ６を通過し、監査用集積装置９ａに集積されたことを確認後、その集積先情報コマンドに監査用集積装置情報を載せて監査ＣＰＵに送信する。【選択図】図１
2009098912.tif 000002
【特許請求の範囲】
【請求項１】
供給部に供給された紙葉類束から紙葉類を一枚ずつ取り出して搬送する搬送路と、この搬送路によって搬送される前記紙葉類を検査する紙葉類検査装置と、この紙葉類検査装置による検査結果に基づいて区分集積する集積装置を備えた紙葉類処理装置であって、
前記紙葉類検査装置の検査結果に基づいて前記紙葉類を集積する集積装置を設定する搬送制御手段と、
この搬送制御手段によって設定された集積装置に集積されたことを検証する検証手段と、
を備え、
前記検証手段は、
前記搬送路を通過する前記紙葉類の通過を検知する通過センサと、
この通過センサの検知結果に基づき、搬送される紙葉類にインデックスを付与する付与手段と、このインデックスを前記紙葉類検査装置に送信する送信手段と、を有する計数用コンピュータと、
を備え、
前記紙葉類検査装置は、
紙葉類を検査する検査装置と、
この検査装置による検査結果を当該紙葉類に付与された前記インデックスと共に記憶する記憶手段と、前記搬送される紙葉類の中から所定の割合で監査する監査券を抽出する抽出手段と、この抽出手段によって抽出された前記監査券の検査結果を当該インデックスと共に前記検証手段に送信する送信手段と、を有する監査用コンピュータと、
を備え、
前記計数用コンピュータは、
前記紙葉類検査装置の送信手段から送信された前記監査券の検査結果をインデックスと共に受信する受信手段と、
当該監査券が監査用集積装置に集積されたことを確認する確認手段と、
この確認手段によって前記監査券の集積が確認されたとき、当該監査用集積装置を示す集積情報を当該監査券に付与されたインデックスと共に前記紙葉類検査装置に返信する返信手段と、
を備えたことを特徴とする紙葉類処理装置。
【請求項２】
前記搬送制御手段は、
当該紙葉類処理装置内部で障害が発生し、前記監査用コンピュータが前記監査用集積装置に前記監査券が集積されたことを確認する返信を前記計数用コンピュータから受信したとき、前記監査用集積装置に集積された監査券を持ち帰らず処理を継続する制御をすることを特徴とする請求項１記載の紙葉類処理装置。
【請求項３】
供給部に供給された紙葉類束から紙葉類を一枚ずつ取り出して搬送する搬送路と、この搬送路によって搬送される前記紙葉類を検査する紙葉類検査装置としての監査用コンピュータと、この監査用コンピュータによる当該監査券の検査結果に基づいて監査券が監査用集積装置に集積されたことを確認する計数用コンピュータと、を有し、監査券を持ち帰らず集積する紙葉類処理装置の監査券集積方法であって、
前記計数用コンピュータが前記搬送路に配置された通過センサによって前記紙葉類が検知されたとき、当該紙葉類にインデックスを付与する第１工程と、
この第１工程でインデックスが付与された紙葉類を前記監査用コンピュータによって当該紙葉類の品質を検査する第２工程と、
この第２工程による検査結果をインデックスと共に監査用コンピュータ内に記憶する第３工程と、
前記搬送される紙葉類の中から所定の方法によって監査券を抽出する第４工程と、
この第４工程の結果抽出された監査券の前記第３工程に係る検査結果及びインデックスを前記計数用コンピュータに送信する第５工程と、
この第５工程の結果に基づいて前記搬送制御部が前記監査券を監査用集積装置に搬送する第６工程と、
この第６工程の結果に基づいて前記計数用コンピュータが前記監査用集積装置に前記監査券が集積されるのを検知する第7工程と、
この第７工程の結果、計数用コンピュータが前記監査用集積装置に当該監査券が集積されたのを確認したとき、当該監査券のインデックスに前記監査用集積装置の集積先を示す集積先情報を付与して前記監査用コンピュータに送信する第8工程と、
この第８工程の結果、監査用コンピュータが前記計数用コンピュータから集積先情報コマンドを受信後、監査用コンピュータ内の検査結果を確定し、その後集積先情報レスポンスとして計数用コンピュータに返信する第9工程と、
この第９工程の結果、計数コンピュータが監査用コンピュータから集積先情報レスポンスを受信後、計数を確定する第１０工程と、
を備えたことを特徴とする紙葉類処理装置の監査券集積方法。
【請求項４】
前記紙葉類処理装置に異状が発生したとき、前記搬送制御部は、前記計数用コンピュータが前記集積先情報レスポンスの受信後であれば、前記監査用集積装置に集積された前記監査券の枚数は確定していると判断し、処理を継続する第１１工程をさらに備えたことを特徴とする請求項２記載の紙葉類処理装置の監査券集積方法。
【発明の詳細な説明】
【技術分野】
【０００１】
本発明は、有価証券などの紙葉類の処理装置に関し、特に監査券（以下、監査券と称す。）の持ち帰りを低減することの出来る紙葉類処理装置及び監査集積方法に関する。
【背景技術】
【０００２】
有価証券などの紙葉類を処理する紙葉類処理装置は、処理単位に応じて一括して投入された紙葉類束（例えば、１０００枚）から取出装置によって紙葉類を１枚ずつ取出して搬送し、紙葉類検査装置によって当該紙葉類の品質（形状、損傷など）を判別し、正常な券（以下、正券と称する。）、不良券（以下、損券と称する。）及び異種権・判別不能券に区分して集積装置によって集積し、その集積された枚数が所定の枚数（例えば、１００枚）に達した場合は、紙帯などの結束帯で結束して把を形成する装置である。
【０００３】
上記紙葉類処理装置には、上記紙葉類処理装置による検査データを管理する監査用コンピュータ（監査用ＣＰＵ）と検査した券の員数を保証する計数用コンピュータ（計数用ＣＰＵ）がある。当該紙葉類処理装置（当該装置）が異状を発生した場合に、これら２つのコンピュータの計数情報と券の検査情報との員数が一致しない場合がある。そのような場合、これまでは、計数情報と検査情報を一致させるために、監査用集積を含む装置内の券を全て持ち帰り、必要に応じて再処理することによってその問題を回避していた。上記監査用紙葉類はオーデット券と称され、従来から紙葉類処理装置で運用されている。（例えば、特許文献１参照。）。
【特許文献１】特開２００７−１６４６２０号公報  （第４−５頁、図１）
【発明の開示】
【発明が解決しようとする課題】
【０００４】
しかしながらこの方法では、装置の性能・機能を確認するために抜き取り検査するための監査用集積装置に漸く集積した監査券を持ち帰ることになり、いつまでたっても監査券が貯まらないため、監査業務の効率が悪いという課題があった。
【０００５】
本発明は、上記課題を解決するためになされたもので、監査券の検査結果である券情報に集積先情報を新たに追加し、監査券が監査用集積装置に集積されたことを確認できるようにすることによって、障害（ジャム）発生時であっても監査券を持ち帰らないようにすることが可能な紙葉類処理装置及び監査券集積方法を提供することを目的とする。
【課題を解決するための手段】
【０００６】
上記目的を達成するために、本発明の請求項１記載の紙葉類処理装置は、供給部に供給された紙葉類束から紙葉類を一枚ずつ取り出して搬送する搬送路と、この搬送路によって搬送される前記紙葉類を検査する紙葉類検査装置と、この紙葉類検査装置による検査結果に基づいて区分集積する集積装置を備えた紙葉類処理装置であって、前記紙葉類検査装置の検査結果に基づいて前記紙葉類を集積する集積装置を設定する搬送制御手段と、この搬送制御手段によって設定された集積装置に集積されたことを検証する検証手段と、を備え、前記検証手段は、記搬送路を通過する前記紙葉類の通過を検知する通過センサと、この通過センサの検知結果に基づき、搬送される紙葉類にインデックスを付与する付与手段と、このインデックスを前記紙葉類検査装置に送信する送信手段と、を備えた計数用コンピュータと、を備え、前記紙葉類検査装置は、前記紙葉類の検査結果を当該紙葉類に付与された前記インデックスと共に記憶する記憶手段と、前記搬送される紙葉類の中から所定の割合で監査する監査券を抽出する抽出手段と、この抽出手段によって抽出された前記監査券の検査結果を当該監査券に付与されたインデックスと共に前記検証手段に送信する送信手段と、を備え、前記計数用コンピュータは、前記紙葉類検査装置の送信手段から送信された前記監査券の検査結果をインデックスと共に受信する受信手段と、当該監査券が監査用集積装置に集積されたことを確認する確認手段と、この確認手段によって前記監査券の集積が確認されたとき、当該監査用集積装置を示す属性を当該監査券に付与されたインデックスと共に前記紙葉類検査装置に返信する返信手段と、を備えたことを特徴とする。
【０００７】
また、本発明の請求項３記載の紙葉類処理装置の監査集積方法は、供給部に供給された紙葉類束から紙葉類を一枚ずつ取り出して搬送する搬送路と、この搬送路によって搬送される前記紙葉類を検査する紙葉類検査装置としての監査用コンピュータと、この監査用コンピュータによる当該監査券の検査結果に基づいて監査券が監査用集積装置に集積されたことを確認する計数用コンピュータと、によって監査券を持ち帰らず集積する紙葉類処理装置の監査券集積方法であって、前記計数用コンピュータが前記搬送路に配置された通過センサによって前記紙葉類が検知されたとき、当該紙葉類にインデックスを付与する第１工程と、この第１工程でインデックスが付与された紙葉類を前記監査用コンピュータによって当該紙葉類の品質を検査する第２工程と、この第２工程による検査結果をインデックスと共に監査用コンピュータ内に記憶する第３工程と、前記搬送される紙葉類の中から所定の方法によって監査券を抽出する第４工程と、この第４工程の結果抽出された監査券の前記第３工程に係る検査結果及びインデックスを前記計数用コンピュータに送信する第５工程と、この第５工程の結果に基づいて前記搬送制御部が前記監査券を監査用集積装置に搬送する第６工程と、この第６工程の結果に基づいて前記計数用コンピュータが前記監査用集積装置に前記監査券が集積されるのを検知する第７工程と、この第７工程の結果、計数用コンピュータが前記監査用集積装置に当該監査券が集積されたのを確認したとき、当該監査券のインデックスに前記監査用集積装置の集積先を示す集積先情報を付与して前記監査用コンピュータに送信する第８工程と、この第８工程の結果、監査用コンピュータが前記計数用コンピュータから集積先情報コマンドを受信後、監査用コンピュータ内の検査結果を確定し、その後集積先情報レスポンスとして計数用コンピュータに返信する第９工程と、この第９工程の結果、計数コンピュータが監査用コンピュータから集積先情報レスポンスを受信後、計数を確定する第１０工程と、を備えたことを特徴とする。
【発明の効果】
【０００８】
本発明によれば、検査した券情報に集積先情報を新たに追加し、監査用抽出が監査用集積装置（オーデット券集積装置）に集積され、確認できるようにすることによって、紙葉類処理装置の処理効率が上昇する。
【発明を実施するための最良の形態】
【０００９】
以下、図面を参照して本発明の実施例を説明する。
【実施例１】
【００１０】
図１は、本発明の実施例１に係る監査券の持ち帰りを低減する監査用ＣＰＵ２１及び計数用ＣＰＵ２２を有する紙葉類処理装置の概略構成図である。紙葉類処理装置１００は、有価証券などの紙葉類Ｐの真偽（真券か偽券か）又は正損（再流通可能な正券か再流通不可能な損券か）を判別し、正券は集積装置５ａ、６ａに集積し、損券は集積装置７ａ、８ａに集積する。また、２枚取り券又はスキュー券などの搬送異状券は、排除券集積庫１１に集積され、異種権、判別不能券は排除券集積装置１０に集積される。以下、本発明に係る主要な部分を詳細に説明する。
【００１１】
紙葉類処理装置１００には、集積された紙葉類束Ｐｓを一括して供給する供給部１が設けられている。この供給部１に供給された紙葉類束Ｐｓは、取出部２に送られる。
【００１２】
取出部２は、供給部１から送り出された紙葉類束Ｐｓをバックアッププレート２ａで受け、このバックアッププレート２ａを、駆動モータ（図示しない）を駆動して上昇させ、最上面の紙葉類Ｐを取出ロータ２ｂの取出し位置まで上昇させる。
【００１３】
最上面の紙葉類Ｐが取出位置に到達すると、取出位置検知センサ（図示しない）によって最上面の紙葉類Ｐが検知され、取出ロータ２ｂが１回転するごとに最上面の紙葉類Ｐから１枚ずつ搬送路３に取り出される。従って、取り出された紙葉類Ｐは、ほぼ一定間隔で搬送路３に取り出されて搬送される。なお、上記バックアッププレート２ａの駆動モータ及び取出位置検知センサによって、最上面の紙葉類Ｐが取出位置にあるようにバックアッププレート２ａの位置が制御される。
【００１４】
取出ロータ２ｂによって取り出された紙葉類Ｐは、厚さ検知部Ｇ０によって紙葉類Ｐの厚さが検知され、判別される。この判別の結果、例えば、２枚取りの場合には、搬送下流に配置されている紙葉類検査装置４による検知が正常に行われないため、区分ゲートＧ１で分岐され排除券集積庫１１に集積される。
【００１５】
搬送路（搬送手段）３は、搬送ベルト及び搬送ローラで構成され、取出ロータ２ｂによって取り出された紙葉類Ｐを挟持して搬送方向上流から下流に向かって搬送する。
【００１６】
紙葉類検査装置４は、下面検査装置４ａ及び上面検査装置４ｂなどの検査装置及び監査用ＣＰＵ２１から構成され、搬送部３の途中に配置され、搬送される紙葉類Ｐを検査する。当該紙葉類Ｐの判別の結果、操作員によって操作表示部５０から設定された指定券種と異なる場合又は判別不能券は、排除券集積装置１０に集積される。
【００１７】
また、当該紙葉類Ｐの判別の結果、正常な紙葉類Ｐは、集積装置５ａに集積される。集積装置５ａに集積された紙葉類Ｐの集積枚数が１００枚（１００枚紙葉類）に達すると、下部に配置された結束装置５ｂに渡され、紙帯で結束されて把Ｈが形成される。なお、集積装置５ａに集積された紙葉類Ｐの枚数が１００枚に到達した後に、さらに搬送されてきた紙葉類Ｐは、区分ゲートＧ２、Ｇ３が切換えられて集積装置６ａに集積される。集積装置６ａに集積された紙葉類Ｐの枚数が１００枚に到達すると、さらに搬送されてきた紙葉類Ｐは集積装置５ａに集積されるように区分ゲートＧ２、Ｇ３が切換えられ、当該１００枚紙葉類は結束装置６ｂに渡されて同様に紙帯で結束されて把Ｈが形成される。
【００１８】
このようにして形成された把Ｈは、結束装置５ｂ〜８ｂから下部に配置されたコンベア１２に排出される。
【００１９】
このようにして形成された把Ｈは、コンベア１２に送られる。コンベア１２に送られた把Ｈは、リフタ１３に１把ずつ受け渡される。リフタ１３は、１把ごとに受取って上昇させ、ラベル部１４に受け渡す。
【００２０】
ラベル部１４は、把Ｈにラベルを貼り付けるための位置決めを行うガイド、及びそのガイドに沿って取り揃えられた把Ｈにバーコードを印刷したレベルを貼り付けるラベル貼付装置などで構成される。
【００２１】
バーコードリーダ１５は、ラベル部１４で貼り付けられたバーコードを読み取り、バーコードが正常に貼り付けられていることを確認する。以上の処理を終了した把Ｈは、装置外に排出される。
【００２２】
次に、本発明に係る監査用コンピュータ（監査用ＣＰＵ）２１、計数用コンピュータ（計数用ＣＰＵ）２２及び監査用集積装置９ａの動作を説明する。
【００２３】
監査用ＣＰＵ２１は、紙葉類検査装置４の下面検査装置４ａ及び上面検査装置４ｂと接続され、当該検査装置で検査する内容を券種ごとに送信し、その通知に基づく検査結果を当該検査装置から受信する。また、その受信した検査結果を総合的に判別して正券、損券、排除券に区分する。この紙葉類Ｐごとの判別結果は、当該監査用ＣＰＵ２１がアクセス可能な記憶手段としてのメモリに、付与されたインデックスと共に保存される。
【００２４】
また、監査用ＣＰＵ２１は、検査中の紙葉類Ｐの中から所定の割合で任意に監査券Ｐｋを抽出する。この抽出方法は、当該監査用ＣＰＵ２１内部で乱数を発生させ、抽出する紙葉類を設定する。本実施例では、０．０１％以下の割合で抽出する。このようにして抽出された監査券Ｐｋであっても、他の紙葉類Ｐと同様の検査が行われ、検査結果は、当該監査用ＣＰＵ２１内のメモリに上記インデックスと共に保存される。
【００２５】
計数用ＣＰＵ２２は、集積装置５ａ〜９ａに搬送された紙葉類Ｐの計数を行うＣＰＵで、集積部に搬送されてきた紙葉類Ｐを検知する通過センサＳ１及び各集積装置前に配置され、各集積装置に実際に集積された紙葉類Ｐの通過を検知する集積前通過センサＳ２〜Ｓ６と接続され、各集積装置５ａ〜９ａに実際に集積された紙葉類Ｐの枚数を計数する。
【００２６】
監査用集積装置９ａは、当該紙葉類処理装置１００の紙葉類検査装置による検査結果が正常に行われているかどうかを監査するために、検査中の紙葉類Ｐの中から所定の割合で任意に抽出した紙葉類Ｐを集積する。当該監査用集積装置９ａの集積手段は他の集積装置５ａ〜８ａと同様に構成されており、同様の機能を有する。
【００２７】
以上の構成を備えていることにより、監査用ＣＰＵ２１で抽出された監査券Ｐｋが監査用集積装置９ａに集積された場合には、当該計数を管理する計数用ＣＰＵ２２から集積されたことを示すレスポンスを受けることによって、監査券Ｐｋが確実に集積されたことがわかるため、例えば装置内で障害が発生した場合であっても監査用集積装置９ａに集積された監査券Ｐｋを持ち帰る必要がない。いか、図２を参照してその方法を具体的に説明する。
【００２８】
図２は、本発明の監査用集積装置９ａに係る監査用ＣＰＵ２１及び計数用ＣＰＵ２２の動作を示すシーケンス図である。図１及び図２を参照しながら動作を説明する。
【００２９】
取出部２から１枚ずつ取り出された紙葉類Ｐが搬送されると、計数用ＣＰＵ２２は、搬送路に配置された通過センサの情報から、紙葉類１枚ごとにインデックスを付与し、監査用ＣＰＵ２１に送信する（ＣＭＤ１）。
【００３０】
監査用ＣＰＵ２１は、下面検査装置４ａ及び上面検査装置４ｂでの紙葉類Ｐの印刷品質検査結果を受信し、その検査結果を総合的に判別し、正券、損券、排除券に区分する。また、その検査結果を搬送制御部３０及び計数用ＣＰＵ２２に通知すると共に（ＳＴＳ１）、上記インデックスと対応させて当該紙葉類Ｐの検査結果を監査用ＣＰＵ２１に設けられた記憶部（メモリ）に保存する。搬送制御部３０は、検査結果の通知を受信し、検査結果に応じて搬送路３に配置された区分ゲートＧ２〜Ｇ６を制御する。
【００３１】
監査用ＣＰＵ２１は、検査中の紙葉類Ｐの中から一定の割合（例えば、０．０１％以下）で任意に紙葉類Ｐの抽出を行う。この抽出された紙葉類（監査券Ｐｒ）は、当該監査券Ｐｋの検査結果を計数用ＣＰＵ２２に送ると同時に、監査券Ｐｋの検査結果を監査ＣＰＵ２１内に保存する。
【００３２】
計数用ＣＰＵ２２は、検査結果情報を基に監査券Ｐｋを監査用集積装置９ａに導くことも可能であるが、本実施例では、監査用ＣＰＵ２１から監査券Ｐｋの検査結果が搬送制御部３０に送信されるため、その検査結果に基づいて搬送制御部３０が区分ゲートＧ２〜Ｇ６を制御して監査券Ｐｋを監査用集積装置９ａに導く。即ち、監査用集積装置９ａは、他の集積装置５ａ〜８ａと同様に構成されているため、当該監査用集積装置９ａに集積する方法は、他の集積装置５ａ〜８ａに紙葉類Ｐを区分して集積する方法と同様に行うことができる。
【００３３】
計数用ＣＰＵ２２は、監査券Ｐｋが集積前通過センサＳ６を通過し、監査券Ｐｋが監査用集積装置９ａに確実に集積されたことを監視する。
【００３４】
監査券Ｐｋが監査用集積装置９ａに確実に集積されたことを確認後、計数用ＣＰＵ２２は、集積先情報に最終集積先が監査用集積装置９ａである情報を載せて集積先情報コマンドとして監査用ＣＰＵ２１に送信する（ＣＭＤ１）。
【００３５】
監査用ＣＰＵ２１は、集積先情報コマンドを受信後、監査用コマンド内の検査結果を確定し、その集積先情報レスポンスを計数ＣＰＵ２２に返信する（ＳＴＳ２）。
【００３６】
計数用ＣＰＵ２２は、集積先情報レスポンスの受信確認後、計数を確定する。
【００３７】
次に、装置異状などの障害（ジャム）が発生した場合の処理を説明する。
【００３８】
ジャム発生時、計数用ＣＰＵ２１が集積先情報レスポンスを受信後であれば、監査用集積装置９ａ内の監査券Ｐｋの枚数は確定していると判断でき、その監査券Ｐｋの持ち帰りを必要としない。但し、受信前であれば、不確定となりこれまでと同様持ち帰ることになる。
【００３９】
従来、装置異状が発生した場合は、計数情報と監査用抽出券情報の間の保証（照合）をとるため、監査用集積装置９ａ内の監査券Ｐｋを全て持ち帰っていた。この場合、せっかく貯めた監査券Ｐｋをジャムが発生するごとに持ち帰ることになり、一向に貯めることができなかった。
【００４０】
しかしながら、本発明によれば、「集積先情報コマンド／レスポンス」を追加することで、ジャムの発生が集積先情報レスポンス受信後であれば、監査用集積装置９ａ内の監査券Ｐｋを持ち帰る必要がなく、引き続き監査券Ｐｋを貯めることができるため、監査業務の効率が向上する。
【図面の簡単な説明】
【００４１】
【図１】本発明の実施例１に係る監査用ＣＰＵ及び計数用ＣＰＵを有する紙葉類処理装置の概略構成図。
【図２】本発明の監査用集積装置に係る監査用ＣＰＵ及び計数用ＣＰＵの動作を示すシーケンス図。
【符号の説明】
【００４２】
Ｈ  把
Ｐ  紙葉類
Ｐｓ  紙葉類束
Ｐｋ  監査券
Ｇ１〜Ｇ６  分岐ゲート
Ｓ１  通過センサ
Ｓ２〜Ｓ６  集積前通過センサ
１  供給部
２  取出部
３  搬送路
４  紙葉類検査装置
４ａ  下面検査装置
４ｂ  上面検査装置
５ａ〜８ａ  集積装置
５ｂ〜８ｂ  結束装置
９ａ  監査用集積装置
９ｂ  監査用結束装置
１０  排除券集積装置
１１  排除券集積庫
１２  コンベア
２０  主制御部
２１  監査用ＣＰＵ
２２  計数用ＣＰＵ
３０  搬送制御部
５０  操作表示部
１００  紙葉類処理装置
【図１】
2009098912.tif 000003
【図２】
2009098912.tif 000004